(57)【要約】【課題】  蛇口における出口の下側に設置すると共に、押圧することにより、出水量を制御する蛇口制御装置を提供する。【解決手段】  蛇口に設置される中空の外筒と、外筒の内部に設置されると共に、中央の内壁に制御機構が設けられるリング状の位置決めプレートと、外筒の中央に設置されると共に、制御機構と接触される連動ロッドとを備え、位置決めプレートに複数の貫通孔が形成され、該制御機構は中空の押圧ロッドと、該押圧ロッドの一端の内部に設けられる中空の位置決め部材とを有し、位置決めプレートの内壁に連続傾斜の外部位置決め切欠と位置決め溝が形成され、押圧ロットの一端に連続傾斜の内部位置決め切欠が形成されると共に、該内部位置決め切欠の外側に位置決めプレートの外部位置決め切欠又は位置決め溝に位置決められる外部位置決めブロックが設けられ、位置決め部材の外側に押圧ロッドの外部位置決め切欠に位置決められる内部位置決めブロックが設けられ、連動ロッドの上端に外径が大きいの拡大部が設けられ、外側にリブが設けられることを特徴とする。【選択図】        図１
2005155306.tif 000002
【特許請求の範囲】
【請求項１】
蛇口に設置される中空の外筒と、外筒の内部に設置されると共に、中央の内壁に制御機構が設けられるリング状の位置決めプレートと、外筒の中央に設置されると共に、制御機構と接触される連動ロッドとを備え、位置決めプレートに複数の貫通孔が形成され、該制御機構は中空の押圧ロッドと、該押圧ロッドの一端の内部に設けられる中空の位置決め部材とを有し、位置決めプレートの内壁に連続傾斜の外部位置決め切欠と位置決め溝が形成され、押圧ロットの一端に連続傾斜の内部位置決め切欠が形成されると共に、該内部位置決め切欠の外側に位置決めプレートの外部位置決め切欠又は位置決め溝に位置決められる外部位置決めブロックが設けられ、位置決め部材の外側に押圧ロッドの外部位置決め切欠に位置決められる内部位置決めブロックが設けられ、連動ロッドの上端に外径が大きいの拡大部が設けられ、外側にリブが設けられることを特徴とする蛇口制御装置。
【請求項２】
前記外筒の上側に貫通孔が形成され、外筒の下部に複数の出水孔を有するリング状の下部プレートが設けられることを特徴とする請求項１に記載の蛇口制御装置。
【請求項３】
前記下部プレートは螺合によって外筒と結合することを特徴とする請求項２に記載の蛇口制御装置。
【請求項４】
前記外筒の上部に濾過網が設置されることを特徴とする請求項１乃至３に記載の蛇口制御装置。
【請求項５】
前記外筒の上部に貫通孔を有する上部プレートと上部プレートを固定するため固定リングが設けられ、位置決めプレートの周辺に外筒の内壁と係止する係止壁が設けられると共に、係止壁の上部に複数の貫通孔を有する中間プレートが設けられることを特徴とする請求項１に記載の蛇口制御装置。
【請求項６】
前記上部プレートの上部に濾過網が設置されることを特徴とする請求項５に記載の蛇口制御装置。
【請求項７】
前記連動ロッドにおける拡大部の下側に密接リングが設けられることを特徴とする請求項１乃至６に記載の蛇口制御装置。
【請求項８】
前記位置決めプレートにおける外部位置決め切欠は複数段の階段構造からなることを特徴とする請求項７に記載の蛇口制御装置。
【請求項９】
前記外筒の上端の外側に蛇口の下側に設置するためのねじ山が設けられることを特徴とする請求項８に記載の蛇口制御装置。
【発明の詳細な説明】
【技術分野】
【０００１】
本発明は、特に蛇口における出口の下側に設置すると共に、押圧することにより、出水量を制御する蛇口制御装置に関するものである。
【背景技術】
【０００２】
通常の出水装置は例えば蛇口や様々な出水ホースなどがあり、その上に回転式制御装置が設置されることにより、該出水装置の出水量を制御する。使用者は手によって出水装置の回転式制御装置を回転することにより、水を流し出せながら、手を洗うことができる。しかし、手に石鹸を付けた後、該回転式制御装置を回転すると、回転式制御装置に黴菌や石鹸を付けることがあるので、水によって再び該回転式制御装置を洗う必要がある。又、前記の回転式制御装置は公知構造であるため、特に特許文献や非特許文献には記載されていない。
【発明の開示】
【発明が解決しようとする課題】
【０００３】
しかしながら、水によって回転式制御装置を洗うことは水を無駄に使うことであるので、水資源を浪費する問題が存在する。又、赤外線センサを付ける出水装置により、出水装置と無接触で手を洗うことが可能であるが、このような出水装置の値段は高いため、一般の家庭では使用することができない。
そこで、出願されたのが本発明であって、蛇口における出口の下側に設置すると共に、押圧することにより、出水量を制御する蛇口制御装置を提供することを目的としている。
【課題を解決するための手段】
【０００４】
本願の請求項１の発明は、蛇口に設置される中空の外筒と、外筒の内部に設置されると共に、中央の内壁に制御機構が設けられるリング状の位置決めプレートと、外筒の中央に設置されると共に、制御機構と接触される連動ロッドとを備え、位置決めプレートに複数の貫通孔が形成され、該制御機構は中空の押圧ロッドと、該押圧ロッドの一端の内部に設けられる中空の位置決め部材とを有し、位置決めプレートの内壁に連続傾斜の外部位置決め切欠と位置決め溝が形成され、押圧ロットの一端に連続傾斜の内部位置決め切欠が形成されると共に、該内部位置決め切欠の外側に位置決めプレートの外部位置決め切欠又は位置決め溝に位置決められる外部位置決めブロックが設けられ、位置決め部材の外側に押圧ロッドの外部位置決め切欠に位置決められる内部位置決めブロックが設けられ、連動ロッドの上端に外径が大きいの拡大部が設けられ、外側にリブが設けられることを特徴とする蛇口制御装置及び、
本願の請求項２の発明は、前記外筒の上側に貫通孔が形成され、外筒の下部に複数の出水孔を有するリング状の下部プレートが設けられることを特徴とする請求項１に記載の蛇口制御装置及び、
本願の請求項３の発明は、前記下部プレートは螺合によって外筒と結合することを特徴とする請求項２に記載の蛇口制御装置及び、
本願の請求項４の発明は、前記外筒の上部に濾過網が設置されることを特徴とする請求項１乃至３に記載の蛇口制御装置及び、
本願の請求項５の発明は、前記外筒の上部に貫通孔を有する上部プレートと上部プレートを固定するため固定リングが設けられ、位置決めプレートの周辺に外筒の内壁と係止する係止壁が設けられると共に、係止壁の上部に複数の貫通孔を有する中間プレートが設けられることを特徴とする請求項１に記載の蛇口制御装置及び、
本願の請求項６の発明は、前記上部プレートの上部に濾過網が設置されることを特徴とする請求項５に記載の蛇口制御装置及び、
本願の請求項７の発明は、前記連動ロッドにおける拡大部の下側に密接リングが設けられることを特徴とする請求項１乃至６に記載の蛇口制御装置及び、
本願の請求項８の発明は、前記位置決めプレートにおける外部位置決め切欠は複数段の階段構造からなることを特徴とする請求項７に記載の蛇口制御装置及び、
本願の請求項９の発明は、前記外筒の上端の外側に蛇口の下側に設置するためのねじ山が設けられることを特徴とする請求項８に記載の蛇口制御装置、を提供する。
【発明の効果】
【０００５】
本発明は上記の課題を解決するものであり、外筒に設置する制御機構の押圧ロッドを押圧すると、位置決め部材の内部位置決めブロックが押圧ロッドの内部位置決め切欠によって位置決めプレートの外部位置決め切欠又は位置決め溝に位置交換されることにより、位置決め部材に設置する連動ロッドを連動するので、出水量を制御することができる。
【発明を実施するための最良の形態】
【０００６】
以下、添付図面を参照して本発明の好適な実施の形態を詳細に説明する。
図１は本発明に係る蛇口制御装置の第一実施例を示す分解斜視図であり、図２は本発明に係る蛇口制御装置の第一実施例を示す断面図であり、図３は本発明に係る蛇口制御装置を使用する際の制御機構を示す参考図であり、図４は本発明に係る蛇口制御装置を使用しない際の制御機構を示す参考図であり、図５は本発明に係る蛇口制御装置の第二実施例を示す分解斜視図であり、図６は本発明に係る蛇口制御装置の第二実施例を使用しない状態を示す断面図であり、図７は本発明に係る蛇口制御装置の第二実施例における押圧部材を押圧する状態を示す断面図であり、図８は本発明に係る蛇口制御装置の第二実施例を使用する状態を示す断面図であり、図９は本発明に係る蛇口制御装置の第三実施例を示す分解斜視図である。
本発明に係る蛇口制御装置は蛇口に設置される中空の外筒と、外筒の内部に設置されると共に、中央の内壁に制御機構が設けられるリング状の位置決めプレートと、外筒の中央に設置されると共に、制御機構と接触される連動ロッドとを備え、該制御機構は中空の押圧ロッドと、該押圧ロッドの一端の内部に設けられる中空の位置決め部材とを有し、位置決めプレートの内壁に連続傾斜の外部位置決め切欠と位置決め溝が形成され、押圧ロットの一端に連続傾斜の内部位置決め切欠が形成されると共に、該内部位置決め切欠の外側に位置決めプレートの外部位置決め切欠又は位置決め溝に位置決められる外部位置決めブロックが設けられ、位置決め部材の外側に押圧ロッドの外部位置決め切欠に位置決められる内部位置決めブロックが設けられ、連動ロッドの上端に外径が大きいの拡大部が設けられ、外側にリブが設けられる。前記の押圧ロッドを押圧すると、位置決め部材の内部位置決めブロックが押圧ロッドの内部位置決め切欠によって位置決めプレートの外部位置決め切欠又は位置決め溝に位置交換されることにより、位置決め部材に設置する連動ロッドを連動するので、出水量を制御することができる。
【実施例１】
【０００７】
図１及び図２に示すように、本発明に係る蛇口制御装置の第一実施例は蛇口に設置されると共に、上側に貫通孔（１００）が形成される中空の外筒（１０）と、外筒（１０）の内部に設置されると共に、中央の内壁に制御機構（２０）が設けられるリング状の位置決めプレート（１１）と、外筒（１０）の中央に設置されると共に、制御機構（２０）と接触される連動ロッド（１２）と、外筒（１０）の下部に設置されるると共に、複数の出水孔（１３０）を有するリング状の下部プレート（１３）を備え、該制御機構（２０）は中空の押圧ロッド（２１）と、該押圧ロッド（２１）の一端の内部に設けられる中空の位置決め部材（２２）とを有し、前記位置決めプレート（１１）の内壁に連続傾斜の外部位置決め切欠（１１０）と位置決め溝（１１１）が形成されると共に、上側面に上下貫通のように複数の貫通孔（１１２）が形成され、押圧ロット（２１）の一端に連続傾斜の内部位置決め切欠（２１０）が形成されると共に、該内部位置決め切欠（２１０）の外側に位置決めプレート（１１）の外部位置決め切欠（１１０）又は位置決め溝（１１１）に位置決められる外部位置決めブロック（２１１）が設けられ、位置決め部材（２２）の上端の外側に押圧ロッド（２１）の外部位置決め切欠（２１０）に位置決められる内部位置決めブロック（２２０）が設けられ、前記連動ロッド（１２）の上端に外径が大きいの拡大部（１２０）が設けられ、外側にリブ（１２１）が設けられる。又、連動ロッド（１２）の拡大部（１２０）と貫通孔（１００）の密接効果を向上するため、拡大部（１２０）の下側に密接リング（１５）が設けられる。
又、蛇口の下側に設置するために、外筒（１０）の上端の外側にねじ山（１０１）が設けられ、前記下部プレート（１３）と外筒（１０）との結合方法は螺合、粘着又は他の結合方法によって行ってもよく、本実施例では螺合方法によって下部プレート（１３）と外筒（１０）を結合する。又、図２に示すように、水の中における雑質、小石などの異物を濾過するために、外筒（１０）の上部に濾過網（１４）を設置してもよい。
本発明に係る蛇口制御装置の第一実施例の組合は先ず制御機構（２０）の押圧ロッド（２１）を位置決めプレート（１１）の中央に挿入することにより、押圧ロッド（２１）の外部位置決めブロック（２１１）を位置決め溝（１１１）に置き込んだ後、位置決め部材（２２）を押圧ロッド（２１）の内部に挿入し、制御機構（２０）の押圧ロッド（２１）と位置決め部材（２２）を設置した位置決めプレート（１１）を外筒（１０）の内部に置きこんだ後、下部プレート（１３）を外筒（１０）の下部に螺合させ、連動ロッド（１２）が外筒（１０）の貫通孔（１００）を通じて外筒（１０）の上部に設置された後、濾過網（１４）を外筒（１０）の上部に固定する。
図３及び図４に示すように、連動ロッドは位置決め部材と共に動作するので、図面に省略し、又、説明の便利のため、位置決め部材の内部位置決めブロック（２２０）と、押圧ロッドの内部位置決め切欠（２１０）及び外部位置決めブロック（２１１）と、位置決めプレートの外部位置決め切欠（１１０）及び位置決め溝（１１１）との関係を説明する。
先ず、図３に示すように、本発明に係る蛇口制御装置を使用する場合、位置決め部材の内部位置決めブロック（２２０）が最初に一番下の位置決め溝（１１１）における押圧ロッドの内部位置決め切欠（２１０）と接触される。押圧ロッドを上方へ押圧すると、押圧ロッドの外部位置決めブロック（２１１）が位置決めプレート（１１）の位置決め溝（１１１）に沿って上方へ移動されると共に、位置決め部材の内部位置決めブロック（２２０）も押圧ロッドの内部位置決め切欠（２１０）と一緒に上方へ移動されながら位置決めプレートにおける外部位置決め切欠（１１０）に移動され、押圧ロッドを押圧しないと、押圧ロッドは元の位置に戻れると共に、位置決め部材の内部位置決めブロック（２２０）は位置決め溝（１１１）の上方における外部位置決め切欠（１１０）に位置決められる。図２及び図３に示すように、この際、連動ロッド（１２）の拡大部（１２０）と外筒（１０）の上部との間に水が流れる隙間を形成するので、この隙間、外筒（１０）の貫通孔（１００）、位置決めプレート（１１）の貫通孔（１１２）と下部プレート（１３）の出水孔（１３０）を通じて水が流れ出すことができる。
図４に示すように、本発明に係る蛇口制御装置を使用しない場合、再び押圧ロッドを上方へ押圧すると、押圧ロッドの外部位置決めブロック（２１１）が位置決めプレート（１１）の位置決め溝（１１１）に沿って上方へ移動されると共に、位置決め部材の内部位置決めブロック（２２０）も押圧ロッドの内部位置決め切欠（２１０）と一緒に上方へ移動されながら位置決めプレートにおける位置決め溝（１１１）に移動され、そして、位置決め部材の内部位置決めブロック（２２０）は押圧ロッドの内部位置きめ切欠（２１０）と一緒に一番下の位置決め溝（１１１）に移動される。図２及び図４に示すように、この際、連動ロッド（１２）の拡大部（１２０）が外筒（１０）の上部と密接すると共に、隙間がなくなるので、水が流れ出すことができない。
【実施例２】
【０００８】
又、図５乃至図８に示すように、本発明に係る蛇口制御装置の第二実施例は蛇口に設置される中空の外筒（３０）と、外筒（３０）の内部に設置されると共に、中央の内壁に制御機構（４０）が設けられる貫通孔（３１２）を有するリング状の位置決めプレート（３１）と、外筒（３０）の中央に設置されると共に、制御機構（４０）と接触される連動ロッド（３２）とを備え、外筒（３０）の上部に貫通孔（３０１）を有する上部プレート（３００）と上部プレート（３００）を固定するため固定リング（３３）が設けられ、該制御機構（４０）は中空の押圧ロッド（４１）と、該押圧ロッド（４１）の一端の内部に設けられる中空の位置決め部材（４２）とを有し、位置決めプレート（３１）の内壁に連続傾斜の外部位置決め切欠（３１０）と位置決め溝（３１１）が形成され、周辺に外筒（３０）の内壁と係止する係止壁（３１３）が設けられると共に、係止壁（３１３）の上部に複数の貫通孔（３４０）を有する中間プレート（３４）が設けられ、押圧ロット（４１）の一端に連続傾斜の内部位置決め切欠（４１０）が形成されると共に、該内部位置決め切欠（４１０）の外側に位置決めプレート（３１）の外部位置決め切欠（３１０）又は位置決め溝（３１１）に位置決められる外部位置決めブロック（４１１）が設けられ、位置決め部材（４２）の外側に押圧ロッド（４１）の外部位置決め切欠（４１０）に位置決められる内部位置決めブロック（４２０）が設けられ、連動ロッド（３２）の上端に外径が大きいの拡大部（３２０）が設けられ、外側にリブ（３２１）が設けられる。前記第一実施例のように、押圧ロッド（４１）を押圧すると、位置決め部材（４２）の内部位置決めブロック（４２０）が押圧ロッド（４１）の内部位置決め切欠（４１０）によって位置決めプレート（３１）の外部位置決め切欠（３１０）又は位置決め溝（３１１）に位置交換されることにより、位置決め部材（４２）に設置する連動ロッド（３２）を連動するので、出水量を制御することができる。又、第二実施例の作動方式は前記第一実施例と等しいため、説明は省略する。
又、蛇口の下側に設置するために、外筒（３０）の上端の外側にねじ山（３０２）が設けられ、更に、水の中における雑質、小石などの異物を濾過するために、上部プレート（３００）の上部に濾過網（３６）を設置してもよい。又、連動ロッド（３２）の拡大部（３２０）と貫通孔（３０１）の密接効果を向上するため、拡大部（３２０）の下側に密接リング（３５）が設けられる。
【実施例３】
【０００９】
又、図9に示すように、本発明に係る蛇口制御装置の第三実施例は第二実施例と殆ど等しく、異なるのは位置決めプレート（３１）に形成される貫通孔（３１２）は第二実施例の貫通孔（３１２）より多いことにより、出水量は大きい。
又、前記位置決めプレートにおける外部位置決め切欠は複数段の階段構造からなることにより、出水量を分段式のように制御することができる。又、前記連動ロッドにおけるリブを設けなくても良く、この場合に、該連動ロッドに水が流れるための溝が形成される。
【産業上の利用可能性】
【００１０】
本発明は上記の構造を有するので、外筒に設置する制御機構の押圧ロッドを押圧すると、位置決め部材の内部位置決めブロックが押圧ロッドの内部位置決め切欠によって位置決めプレートの外部位置決め切欠又は位置決め溝に位置交換されることにより、位置決め部材に設置する連動ロッドを連動するので、出水量を制御することができる。
【図面の簡単な説明】
【００１１】
【図１】本発明に係る蛇口制御装置の第一実施例を示す分解斜視図である。
【図２】本発明に係る蛇口制御装置の第一実施例を示す断面図である。
【図３】本発明に係る蛇口制御装置を使用する際の制御機構を示す参考図である。
【図４】本発明に係る蛇口制御装置を使用しない際の制御機構を示す参考図である。
【図５】本発明に係る蛇口制御装置の第二実施例を示す分解斜視図である。
【図６】本発明に係る蛇口制御装置の第二実施例を使用しない状態を示す断面図である。
【図７】本発明に係る蛇口制御装置の第二実施例における押圧部材を押圧する状態を示す断面図である。
【図８】本発明に係る蛇口制御装置の第二実施例を使用する状態を示す断面図である。
【図９】本発明に係る蛇口制御装置の第三実施例を示す分解斜視図である。
【符号の説明】
【００１２】
１０        外筒
１００      貫通孔
１０１      ねじ山
１１        位置決めプレート
１１０      外部位置決め切欠
１１１      位置決め溝
１１２      貫通孔
１２        連動ロッド
１２０      拡大部
１２１      リブ
１３        下部プレート
１３０      出水孔
１４        濾過網
１５        密接リング
２０        制御機構
２１        押圧ロッド
２１０      内部位置決め切欠
２１１      外部位置決めブロック
２２        位置決め部材
２２０      内部位置決めブロック
３０        外筒
３００      上部プレート
３０１      貫通孔
３０２      ねじ山
３１        位置決めプレート
３１０      外部位置決め切欠
３１１      位置決め溝
３１２      貫通孔
３２        連動ロッド
３２０      拡大部
３２１      リブ
３３        固定リング
３４        中間プレート
３４０      貫通孔
３５        密接リング
３６        濾過網
４０        制御機構
４１        押圧ロッド
４１０      内部位置切欠
４１１      外部位置決めブロック
４２        位置決め部材
４２０      内部位置決めブロック
【図１】
2005155306.tif 000003
【図２】
2005155306.tif 000004
【図３】
2005155306.tif 000005
【図４】
2005155306.tif 000006
【図５】
2005155306.tif 000007
【図６】
2005155306.tif 000008
【図７】
2005155306.tif 000009
【図８】
2005155306.tif 000010
【図９】
2005155306.tif 000011